【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
１の演出期間において、所定の演出態様が複数回表示される特定演出を実行する特定演出実行手段と、
前記所定の演出態様に含まれる第１の演出態様の表示中に予め定められた特定条件が成立したかを判別する条件判別手段と、
その条件判別手段の判別結果に応じて、前記第１の演出態様の表示時間を少なくとも決定する表示時間決定手段と、
前記所定の演出態様の表示中に前記第１の演出態様の表示時間が終了したことに基づいて、当該所定の演出態様の一部として第２の演出態様を表示させることが可能な第２演出態様表示手段と、
前記特定演出実行手段により実行される前記特定演出の種別として、第１種別と、その第１種別とは前記特定演出の演出期間の間に表示され得る前記所定の演出態様の回数が異なる第２種別と、を少なくとも含む複数のうち１の前記特定演出の種別を決定する種別決定手段と、を備え、
前記表示時間決定手段は、
前記特定演出における所定のタイミングで実行された前記第１の演出態様の表示中に前記条件判別手段により前記特定条件が成立したと判別された状況下において、新たに表示させる前記第１の演出態様の表示時間として予め定められた第１表示時間を設定可能な手段と、
前記特定演出における所定のタイミングで実行された前記第１の演出態様の表示中に前記条件判別手段により前記特定条件が成立したと判別されなかった状況下において、新たに表示させる前記第１の演出態様の表示時間として前記第１表示時間よりも長い第２表示時間を設定可能な手段と、
第１の特定演出における特定のタイミングで実行された前記第１の演出態様の表示中に前記条件判別手段により前記特定条件が成立したと判別された状況下において、前記第１の特定演出よりも後に実行された第２の特定演出において新たに表示させる前記第１の演出態様の表示時間として前記第１表示時間を設定可能な手段と、
第３の特定演出における特定のタイミングで実行された前記第１の演出態様の表示中に前記条件判別手段により前記特定条件が成立したと判別されなかった状況下において、前記第３の特定演出よりも後に実行された第４の特定演出において新たに表示させる前記第１の演出態様の表示時間として前記第２表示時間を設定可能な手段と、を備えたものであり、
前記所定の演出態様は、当該所定の演出態様に含まれる前記第１の演出態様の表示中に前記特定条件が成立したか否かによらず、表示時間が共通となるように構成されているものであり、
前記特定演出は、前記特定演出の開始後における経過時間が予め定められた上限時間になったことに基づいて終了されるように構成されているものであり、
少なくとも前記第１種別の前記特定演出は、前記特定演出の演出期間の間に設定される全ての前記第１の演出態様において前記特定条件が成立した場合と、全ての前記第１の演出態様において前記特定条件が成立しなかった場合とで、演出期間内に表示される前記所定の演出態様の回数が同一となるように構成されていることを特徴とする遊技機。
【請求項２】
前記所定の演出態様を表示させることが可能な表示手段を備えることを特徴とする請求項１記載の遊技機。
【手続補正２】
【補正対象書類名】明細書
【補正対象項目名】０００６
【補正方法】変更
【補正の内容】
【０００６】
この目的を達成するために請求項１記載の遊技機は、１の演出期間において、所定の演出態様が複数回表示される特定演出を実行する特定演出実行手段と、前記所定の演出態様に含まれる第１の演出態様の表示中に予め定められた特定条件が成立したかを判別する条件判別手段と、その条件判別手段の判別結果に応じて、前記第１の演出態様の表示時間を少なくとも決定する表示時間決定手段と、前記所定の演出態様の表示中に前記第１の演出態様の表示時間が終了したことに基づいて、当該所定の演出態様の一部として第２の演出態様を表示させることが可能な第２演出態様表示手段と、前記特定演出実行手段により実行される前記特定演出の種別として、第１種別と、その第１種別とは前記特定演出の演出期間の間に表示され得る前記所定の演出態様の回数が異なる第２種別と、を少なくとも含む複数のうち１の前記特定演出の種別を決定する種別決定手段と、を備え、前記表示時間決定手段は、前記特定演出における所定のタイミングで実行された前記第１の演出態様の表示中に前記条件判別手段により前記特定条件が成立したと判別された状況下において、新たに表示させる前記第１の演出態様の表示時間として予め定められた第１表示時間を設定可能な手段と、前記特定演出における所定のタイミングで実行された前記第１の演出態様の表示中に前記条件判別手段により前記特定条件が成立したと判別されなかった状況下において、新たに表示させる前記第１の演出態様の表示時間として前記第１表示時間よりも長い第２表示時間を設定可能な手段と、第１の特定演出における特定のタイミングで実行された前記第１の演出態様の表示中に前記条件判別手段により前記特定条件が成立したと判別された状況下において、前記第１の特定演出よりも後に実行された第２の特定演出において新たに表示させる前記第１の演出態様の表示時間として前記第１表示時間を設定可能な手段と、第３の特定演出における特定のタイミングで実行された前記第１の演出態様の表示中に前記条件判別手段により前記特定条件が成立したと判別されなかった状況下において、前記第３の特定演出よりも後に実行された第４の特定演出において新たに表示させる前記第１の演出態様の表示時間として前記第２表示時間を設定可能な手段と、を備えたものであり、前記所定の演出態様は、当該所定の演出態様に含まれる前記第１の演出態様の表示中に前記特定条件が成立したか否かによらず、表示時間が共通となるように構成されているものであり、前記特定演出は、前記特定演出の開始後における経過時間が予め定められた上限時間になったことに基づいて終了されるように構成されているものであり、少なくとも前記第１種別の前記特定演出は、前記特定演出の演出期間の間に設定される全ての前記第１の演出態様において前記特定条件が成立した場合と、全ての前記第１の演出態様において前記特定条件が成立しなかった場合とで、演出期間内に表示される前記所定の演出態様の回数が同一となるように構成されている。
【手続補正３】
【補正対象書類名】明細書
【補正対象項目名】０００７
【補正方法】変更
【補正の内容】
【０００７】
請求項２記載の遊技機は、請求項１記載の遊技機において、前記所定の演出態様を表示させることが可能な表示手段を備える。
【手続補正４】
【補正対象書類名】明細書
【補正対象項目名】００１１
【補正方法】変更
【補正の内容】
【００１１】
本発明の遊技機によれば、１の演出期間において、所定の演出態様が複数回表示される特定演出を実行する特定演出実行手段と、前記所定の演出態様に含まれる第１の演出態様の表示中に予め定められた特定条件が成立したかを判別する条件判別手段と、その条件判別手段の判別結果に応じて、前記第１の演出態様の表示時間を少なくとも決定する表示時間決定手段と、前記所定の演出態様の表示中に前記第１の演出態様の表示時間が終了したことに基づいて、当該所定の演出態様の一部として第２の演出態様を表示させることが可能な第２演出態様表示手段と、前記特定演出実行手段により実行される前記特定演出の種別として、第１種別と、その第１種別とは前記特定演出の演出期間の間に表示され得る前記所定の演出態様の回数が異なる第２種別と、を少なくとも含む複数のうち１の前記特定演出の種別を決定する種別決定手段と、を備え、前記表示時間決定手段は、前記特定演出における所定のタイミングで実行された前記第１の演出態様の表示中に前記条件判別手段により前記特定条件が成立したと判別された状況下において、新たに表示させる前記第１の演出態様の表示時間として予め定められた第１表示時間を設定可能な手段と、前記特定演出における所定のタイミングで実行された前記第１の演出態様の表示中に前記条件判別手段により前記特定条件が成立したと判別されなかった状況下において、新たに表示させる前記第１の演出態様の表示時間として前記第１表示時間よりも長い第２表示時間を設定可能な手段と、第１の特定演出における特定のタイミングで実行された前記第１の演出態様の表示中に前記条件判別手段により前記特定条件が成立したと判別された状況下において、前記第１の特定演出よりも後に実行された第２の特定演出において新たに表示させる前記第１の演出態様の表示時間として前記第１表示時間を設定可能な手段と、第３の特定演出における特定のタイミングで実行された前記第１の演出態様の表示中に前記条件判別手段により前記特定条件が成立したと判別されなかった状況下において、前記第３の特定演出よりも後に実行された第４の特定演出において新たに表示させる前記第１の演出態様の表示時間として前記第２表示時間を設定可能な手段と、を備えたものであり、前記所定の演出態様は、当該所定の演出態様に含まれる前記第１の演出態様の表示中に前記特定条件が成立したか否かによらず、表示時間が共通となるように構成されているものであり、前記特定演出は、前記特定演出の開始後における経過時間が予め定められた上限時間になったことに基づいて終了されるように構成されているものであり、少なくとも前記第１種別の前記特定演出は、前記特定演出の演出期間の間に設定される全ての前記第１の演出態様において前記特定条件が成立した場合と、全ての前記第１の演出態様において前記特定条件が成立しなかった場合とで、演出期間内に表示される前記所定の演出態様の回数が同一となるように構成されている。